(57)【要約】【課題】連続撮影時に記録音声が細切れになることを未然に防止し、優れた使い勝手を得ることができる撮像装置を提供する。【解決手段】単撮影を２回繰り返す場合は、１回目の撮影の露光が行われるとほぼ同時に音声記録動作が開始される。そして、音声記録動作開始から所定時間Ｔ１+Ｔ２時間経過した後に、２回目の撮影のためにＳＷ１がオンされ、２回目の撮影動作が開始され、その露光が行われるとほぼ同時に音声記録動作が開始される。撮影間隔が所定時間Ｔ１＋Ｔ２以内である２枚連続撮影の場合は、１回目の撮影の露光開始とほぼ同時に音声記録動作が開始され、この音声記録動作開始から所定時間Ｔ１＋Ｔ２経過するまでの間に２回目のＳＷ１がオンされることになる。この場合、音声記録動作は続行されており、ＳＷ２のオンによる２回目の露光開始から時間Ｔ１が経過すると、音声記録動作が停止される。【選択図】      図５
2004207907.tif 000002
【特許請求の範囲】
【請求項１】
撮影画像に対応する音声を記録することが可能な撮像装置であって、
第１の撮像動作からそれに続く第２の撮像動作までの撮像間隔に応じて、前記音声の記録を制御する制御手段を有することを特徴とする撮像装置。
【発明の詳細な説明】
【０００１】
【発明の属する技術分野】
本発明は、撮影画像に対応する音声を記録することが可能な撮像装置に関する。
【０００２】
【従来の技術】
近年、電子的な撮像素子を用いて画像を記録するいわゆるデジタルカメラが登場し、このデジタルカメラは、撮像素子の高解像度化、デジタル技術の進歩により、益々高性能化が図られている。これにより、デジタルカメラは、記録媒体にフィルムを用いる銀遠カメラの代替として遜色なく用いられるものとなりつつある。
【０００３】
また、最近では、デンタルカメラを単に銀塩カメラの代替品とするだけでなく、デジタルカメラに電子機器の長所を活かした機能が付加することが提案されており、その機能の一つに音声の記録が挙げられる。これは、画像の撮影と同時に音声を記録するものであり、その場の雰囲気を記録し、撮影状況をメモ代わりに記録するなど、様々な用途に用いられる。
【０００４】
【発明が解決しようとする課題】
このような音声記録が可能なデジタルカメラにおいては、一般に、画像撮影後一定時間の間、音声をマイクから集音し、撮影画像に対応付けて記録することが行われる。しかしながら、連続して短い時間間隔で撮影する場合、一定時間の記録が完了する前に音声記録を中断して次の撮影に対する音声記録を開始する必要があるので、撮影毎の音声記録が細かく途切れたものになる。すなわち、撮影者が連続した時間幅のシーンを音声とともに記録する場合、その音声記録は細切れになり、撮影者の意図に合致する音声記録を含む撮影を行うことができない。さらに、音声記録時間が短すぎて、音声記録が意味のなさないものになる恐れがある。
【０００５】
また、ズーム系や合焦系の駆動源には、ＤＣモータやステッピングモータなどの小型モータが用いられているが、音声記録を行う場合、マイクがこれらのモータが発生する振動や動作音を集音し、動作音が記録される。このような動作音が記録されると、記録画像の雰囲気や品位が損なわれ、また、メモとしての重要な情報が失われる恐れがある。
【０００６】
また、カメラの筐体自体の小型化のためのマイクとモータの近接配置、ズーム動作やＡＦ動作速度のさらなる高速化によって、さらにモータの動作音による影響が大きくなる傾向にある。さらに、マイクは、モータの動作音とともに、筐体が共振して生じる振動音を集音するので、単にモータを静音化することは、動作音の記録に対して効果的な対策とはいえない。
【０００７】
また、コンパクトなカメラにおいては、一般に、本体内にストロボ装置が内蔵される。このストロボ発光のための電荷を蓄積する際には、特定の周波数領域の動作音（以下、充電音という）を発することが知られており、音声記録中に、コンデンサの充電音が発生すると、モータ動作音と同様に記録音声に重大な障害を与え、また記録音声の品位を損なう恐れがある。
【０００８】
本発明の目的は、連続撮影時に記録音声が細切れになることを未然に防止し、優れた使い勝手を得ることができる撮像装置を提供することにある。
【０００９】
【課題を解決するための手段】
本発明は、上記目的を達成するため、撮影画像に対応する音声を記録することが可能な撮像装置であって、第１の撮像動作からそれに続く第２の撮像動作までの撮像間隔に応じて、前記音声の記録を制御する制御手段を有することを特徴とする。
【００１０】
【発明の実施形態】
以下、本発明の実施形態について図面を参照しながら説明する。
【００１１】
図１は本発明の一実施形態に係る撮像装置の構成を示すブロック図である。
【００１２】
撮像装置は、図１に示すように、複数枚のレンズの組み合わせからなり、撮影倍率の変倍を行うためのズームレンズ１０と、合焦動作を行うためのフォーカスレンズ１１と、絞り１４と、シャッタ１５と、マイク３０とを備える。
【００１３】
ズームレンズ１０は、駆動するズーム駆動機構１２により駆動され、ズーム駆動機構１２には、駆動源が搭載されている。フォーカスレンズ１０はフォーカス駆動機構１３により駆動され、フォーカス駆動機構１３には、駆動源が搭載されている。シャッタ１５および絞り１４はＳＨ・絞り機構１９により駆動され、駆動機構１９には、マグネットとコイルを用いた駆動源が搭載されている。
【００１４】
絞り１４およびシャッタ１５による露光動作は露出制御回路１６により制御され、フォーカス駆動機構１３によるフォーカシング動作はフォーカス制御回路１７により制御され、ズームレンズ駆動機構１０によるズーム動作はズーム制御回路１８により制御される。
【００１５】
ズームレンズ１０、絞り１４、シャッタ１５、フォーカスレンズ１１を経た光は、撮像素子２０上に結像される。撮像素子２０は、光学像を電気信号に変換するＣＣＤなどからなる。撮像素子２０から出力された電気信号は、Ａ／Ｄ変換器２１において、デジタル信号に変換され、このデジタル信号は画像処理回路２２に入力される。画像処理回路２２は、入力されたデジタル信号に対して所定の画素補間処理や色変換処理を行う。また、画像処理回路２２は、撮像した画像データを用いてＴＴＬ（スルーザレンズ）方式のＡＦ（オートフォーカス）処理、ＡＥ（自動露出）処理、ＥＦ（フラッシュプリ発光）処理を行い、その処理結果に基づいて露出制御回路１６、フォーカス制御回路１７、ＥＦ制御回路４０に対する制御値を生成する。さらに、画像処理回路２２は、撮影した画像データを用いて所定の演算処理を行い、この演算結果に基づいてＴＴＬ方式のＡＷＢ（オートホワイトバランス）処理を行う。
【００１６】
マイク３０は、装置本体に設けられ、外部の音声を集音して音声信号に変換して出力する。このマイク３０から出力された音声信号は、周波数カットフィルタ３１に入力される。周波数カットフィルタ３１は、入力された音声信号のうち、特定の周波数領域の信号を減衰させるものであり、システム制御回路５０の指示に従って信号減衰の実施、非実施を切り替え可能に構成されている。周波数カットフィルタ３１から出力された音声信号は、Ａ／Ｄ変換器３２においてデジタル信号に変換された後、内部メモリ３３に格納される。内部メモリ３３は、撮影した画像や音声信号を格納するためのメモリであり、所定枚数の画像や音声信号を格納するのに十分な記憶量を有する。これにより、複数枚の画像を連続して撮影する連射撮影やパノラマ撮影の場合にも、高速かつ大量の画像書き込みを内部メモリ３３に対して行うことが可能となる。また、内部メモリ３３はシステム制御回路５０の作業領域として使用される。
【００１７】
システム制御回路５０は、プログラムが格納されているＲＯＭなどのメモリ（図示せず）と、上記メモリに格納されているプログラムに従い装置全体を制御するＣＰＵ（図示せず）とを有する。システム制御回路５０は、ＴＴＬ方式を用いて、すなわち上記画像処理回路２２の演算結果に基づいて、露出制御回路１６、フォーカス制御回路１７、ＥＦ制御回路４０に対する制御を行う。
【００１８】
システム制御回路５０には、コネクタなどのＩ／Ｆ（インタフェース）３９を介して、不揮発性メモリなどからなる外部メモリ３５が接続される。この外部メモリ３５とシステム制御回路５０はＩ／Ｆ３９を介して接続され、システム制御回路５０は、画像や音声信号を外部メモリ３５に記録し、また外部メモリ３５から画像や音声信号を読み出すことができる。
【００１９】
システム制御回路５０には、撮影開始を操作者が指示するレリーズボタン３６およびズーム倍率を操作指示するズームボタン３７が接続されている。レリーズボタン３６は、第１の押し込み量で動作する第１のスイッチ（以下、ＳＷ１という）と第２の押し込み量で動作する第２のスイッチ（以下、ＳＷ２という）とを有する多段スイッチからなる。システム制御回路５０は、レリーズボタン３６のＳＷ１がオンされると、ＡＦ動作および露光動作を行って撮影待機状態となり、さらにレリーズボタン３６が押し込まれてＳＷ２がオンされると、シャッタ１５を開閉するとともに撮像素子２０からの信号を取り込んで撮影動作を完了する。
【００２０】
ズームボタン３７は、テレ側またはワイド側に操作可能なボタンであり、ズームボタン３７がテレ側に操作されると、ズーム制御回路１８はズーム機構１２を制御してズームレンズ１０をテレ方向に移動させる。逆に、ズームボタン３７がワイド側に操作されると、ズーム制御回路１８はズーム駆動機構１２を制御してズームレンズ１０をワイド方向に移動させる。
【００２１】
装置本体には、被写体を照明するためのストロボ閃光装置（以下、ストロボという）３８が設けられており、ストロボ３８の発光量は、システム制御回路５０からの指示に基づいてＥＦ制御回路４０により、適切に制御される。
【００２２】
次に、以上のように構成された撮像装置の撮影の動作について図２および図３を参照しながら説明する。図２および図３は図１の撮像装置の撮影動作を示すフローチャートである。ここで、図２および図３のフローチャートで示す動作手順は、システム制御回路５０により内部プログラムに従って実行されるものである。
【００２３】
撮像装置においては、図２に示すように、システム制御回路５０が、まず、連続撮影回数を表すための変数ＣＯＮＴに初期値１をセットし（ステップＳ１００）、レリーズボタン３６のＳＷ１がオンされるのを待つ（ステップＳ１０１）。そして、レリーズボタン３６のＳＷ１がオンされると、システム制御回路５０は、撮像素子２０から電気信号を読み出し、この電気信号をＡ／Ｄ変換器２１を介して画像データとして画像処理回路２２に逐次読み込む（ステップＳ１０２）。画像処理回路２２は、この逐次読み込まれた画像データを用いて、ＴＴＬ方式のＡＥ（自動露出）処理、ＥＦ（フラッシュプリ発光）処理、ＡＦ（オートフォーカス）処理に用いる所定の演算を行う。これら各処理においては、撮影した全画素数のうちの必要に応じた特定の部分を必要個所分切り取って抽出し、演算に用いている。これにより、ＴＴＬ方式のＡＥ，ＥＦ，ＡＷＢ，ＡＦの各処理において、中央重点モード、平均モード、評価モードの各モードなどの異なるモード毎に最適な演算を行うことが可能となる。
【００２４】
次いで、システム制御回路５０は、画像処理回路２２の演算結果に基づいて露出（ＡＥ）が適正であるか否かを判定する（ステップＳ１０３）。ここで、露出が適正でないと判定されると、システム制御回路５０は、露出制御回路１６を用いてＡＥ制御を行う（ステップＳ１０４）。そして、システム制御回路５０は、被写体輝度が低くストロボ発光が必要であるか否かを判定し（ステップＳ１０５）、ストロボ発光が必要でないと判定すると、処理を上記ステップＳ１０３に戻す。これに対し、ストロボ発光が必要であると判定されると、システム制御回路５０はストロボ３８に接続されているコンデンサに充電を開始する（ステップＳ１０６）。このコンデンサ充電時、高周波の充電音が発生することが良く知られている。充電開始時は比較的低周波な充電音が、充電が進むにつれて周波数が高くなり、充電完了時には高周波となる。この充電音は充電が完了するまで続くので、この間に音声記録を行うと、音声信号とともに充電音が記録されることになり、音声記録に支障をきたし、また品位を落とすことになる。そこで、本実施形態では、音声記録中に充電を行う場合、システム制御回路５０により、周波数カットフィルタ３１を動作させて、マイク３０から入力される音声のうち、コンデンサ充電音に該当する周波数領域の信号を減衰させることによって、記録音声の品位を損なわぬように構成されている。
【００２５】
露出（ＡＥ）が適正と判定された場合（ステップＳ１０３）、システム制御回路５０は、測定データおよび／または設定パラメータを内部メモリ３３に記憶し、画像処理回路２２での演算結果およびＡＥ制御で得られた測定データを用いて、ホワイトバランス（ＡＷＢ）が適正であるか否かを判定する（ステップＳ１０７）。ここで、ホワイトバランス（ＡＷＢ）が適正でないと判定された場合、システム制御回路５０は、画像処理回路２２を用いて色処理のパラメータを調節してＡＷＢ制御を行う（ステップＳ１０８）。
【００２６】
ホワイトバランス（ＡＷＢ）が適正であると判定された場合（ステップＳ１０７）、システム制御回路５０は、測定データおよび／または設定パラメータを内部メモリ３３に記憶し、変数ＣＯＵＮＴの値が１であるか否かを判定する（ステップＳ１０９）。ここで、変数ＣＯＵＮＴの値が１であると判定された場合、システム制御回路５０は、測距（ＡＦ）が合焦であるか否かを判定し（ステップＳ１１０）、測距（ＡＦ）が合焦でないと判定すると、フォーカス制御回路１７を用いてＡＦ制御を行う（ステップＳ１１１）。
【００２７】
測距（ＡＦ）が合焦であると判定された場合（ステップＳ１１０）、システム制御回路５０は、測定データおよび／または設定パラメータを内部メモリ３３に記憶し、レリーズボタン３６のＳＷ１がオンされた状態でＳＷ２がオンされるのを待つ（ステップＳ１１２）。ここで、ＡＦ動作には、一般的にはＴＶ−ＡＦ方式、いわゆる山登り走査方式が用いられている。これは焦点が合っているほど画像のコントラストが高くなり、信号の高周波成分が高まる性質を利用するものであり、撮像素子２０から読み込んだ画像信号の周波数分布によって合焦の度合いを判別することができる。
【００２８】
レリーズボタン３６のＳＷ２がオンされた場合（ステップＳ１１２）、図３に示すように、システム制御回路５０は、内部メモリ３３に記憶された測光データに従い、露出制御回路１６を介して絞り１４を設定し（ステップＳ１１３）、シャッタ１５を開放する（ステップＳ１１４）。そして、システム制御回路５０は、被写体が低輝度であるか否かを判定する（ステップＳ１１５）。被写体が低輝度でないと判定された場合、システム制御回路５０は、撮像素子２０を露光する（ステップＳ１１８）。これに対し、被写体が低輝度であると判定された場合、システム制御回路５０は、測光データに基づいてストロボ３８を微小発光量でプリ発光し（ステップＳ１１６）、ＥＦ制御回路４０により被写体からの反射光を測光して適正発光量を決定し、本発光を行う（ステップＳ１１７）。そして、システム制御回路５０は、撮像素子２０を露光する（ステップＳ１１８）。
【００２９】
次いで、システム制御回路５０は、測光データに従って撮像素子２０の露光終了を待ってシャッタ１５を閉じ（ステップＳ１１９）、撮像素子２０から電荷信号を読み出し（ステップＳ１２０）、Ａ／Ｄ変換器２１、画像処理回路２２を介して、内部メモリ３３に画像データを書き込む（ステップＳ１２１）。ここで、内部メモリ３３に書き込まれた画像データは読み出されて、設定したモードに応じた画像圧縮処理が施された後、外部メモリ３５へ書き込まれる。
【００３０】
次いで、システム制御回路５０は、変数ＣＯＵＮＴが１であるか否かを判定し（ステップＳ１２２）、変数ＣＯＵＮＴが１であれば、マイク３０によって外部音声の集音を開始し、集音された音声信号を内部メモリ３３に順次記録し（ステップＳ１２３）、レリーズ３６のＳＷ２のオンから所定時間Ｔ１＋Ｔ２時間までの間に再度ＳＷ１がオンされたか否かを判定する（ステップＳ１２４）。これに対し、変数ＣＯＵＮＴが１でなければ、システム制御回路５０は、上記ステップＳ１２３をスキップして、所定時間Ｔ１＋Ｔ２時間内に再度ＳＷ１がオンされたか否かを判定する（ステップＳ１２４）。
【００３１】
所定時間Ｔ１＋Ｔ２時間内に再度ＳＷ１がオンされなかった場合、システム制御回路５０は、撮影が終了したと判断して音声記録を終了し（ステップＳ１２５）、１回目の撮影の音声記録開始から、変数ＣＯＵＮＴ回目のＳＷ２オンからＴ１時間経過後までの記録音声を内部メモリ３３から外部メモリ３５へ書き込んだ後（ステップＳ１２６）、撮影を終了する。
【００３２】
これに対し、所定時間Ｔ１＋Ｔ２時間内に再度ＳＷ１がオンされた場合、システム制御回路５０は、連続して撮影が行われると判断して変数ＣＯＵＮＴに１を加算し（ステップＳ１３２）、音声記録を継続した状態で、処理を上記ステップＳ１０２に戻す。そして、一連の撮影動作を繰り返すが、ステップＳ１０９において変数ＣＯＵＮＴが１でないと判定された場合、すなわち連続撮影の場合であると、ＡＦ（ステップＳ１１０，Ｓ１１１）を行わずに、ステップＳ１２８へ移行する。これは、連続して撮影が行われる場合、音声記録が続行されているので、記録音声の品位を損なうことがないように、続く撮影においてＡＦ動作を行わないようにするためである。
【００３３】
次いで、システム制御回路５０は、レリーズ３６のＳＷ２のオンから所定時間Ｔ１＋Ｔ２時間までの間に再度ＳＷ２がオンされたか否かを判定する（ステップＳ１２９）。ここで、所定時間Ｔ１+Ｔ２内に再度ＳＷ２がオンされれば、システム制御回路５０は、処理をステップＳ１１３に進める。所定時間Ｔ１+Ｔ２内に再度ＳＷ２がオンされなければ、システム制御回路５０は、音声記録を終了し（ステップＳ１３０）、１回目の撮影の音声記録開始から、変数ＣＯＵＮＴ回目のＳＷ２オンからＴ１時間経過後までの記録音声を内部メモリ３３から外部メモリ３５へ書き込んだ後（ステップＳ１３１）、撮影を終了する。
【００３４】
なお、ここでは、省略しているが、２回目以降連続して撮影する場合も、上記と同様にして連続した音声記録を行うことができる。そして、連続して撮影された画像のそれぞれには、連続して記録された同じ音声記録が対応付けられることになる。
【００３５】
このようにして、時間的にほぼ同じシーンを連続して撮影する場合、撮影間隔が少し空くことによって音声記録が微小時間とぎれて分断されてしまうことを避けることができる。
【００３６】
次に、以上の動作のタイミングについて図４および図５を参照しながら説明する。図４は単撮影を２回繰り返す場合の動作タイミングを示すチャート、図５は２枚連続撮影の場合の動作タイミングを示すチャートである。各図において、（ａ）はＳＷ１のＯＮ/ＯＦＦ状態、（ｂ）はＳＷ２のＯＮ/ＯＦＦ状態、（ｃ）はＡＦ動作状態、（ｄ）はストロボ充電音状態、（ｅ）は周波数カットフィルタ動作状態、（ｆ）は音声記録の動作状態を表している。
【００３７】
単撮影を２回繰り返す場合は、図４に示すように、ＳＷ２のオンに伴い１回目の撮影の露光が行われるとほぼ同時に音声記録動作が開始される。そして、音声記録動作開始から所定時間Ｔ１+Ｔ２時間経過した後に、２回目の撮影のためにＳＷ１がオンされ、２回目の撮影動作が開始される。そして、ＳＷ２のオンに伴い２回目の撮影の露光が行われるとほぼ同時に音声記録動作が開始される。ここで、撮影毎の音声記録時間は、時間Ｔ１になる。
【００３８】
撮影間隔が所定時間Ｔ１＋Ｔ２以内である２枚連続撮影の場合は、図５に示すように、１回目の撮影の露光開始とほぼ同時に音声記録動作が開始され、この音声記録動作開始から所定時間Ｔ１＋Ｔ２経過するまでの間に２回目のＳＷ１がオンされることになる。この場合、音声記録動作は続行されており、ＳＷ２のオンによる２回目の露光開始から時間Ｔ１が経過すると、音声記録動作が停止される。すなわち、２回目の撮影のためのＳＷ２のオンが１回目の撮影の音声記録開始からＴ１+Ｔ２時間経過するまでの期間内にある場合、音声記録は１回目の撮影と２回目の撮影にまたがって行われ、各画像に同じ音声記録が対応付けられて記録されることになる。また２回目の撮影時には、音声記録に差し障りがないように、ＡＦ動作を行わないようにしている。
【００３９】
また、連続撮影時において、ストロボを発光させる場合がある。このような場合、１回目の撮影後の音声記録動作続行中においてストロボ３８が充電されるので、記録音声の品位が損なわれることを防止するために、周波数カットフィルタ３１が動作されて、マイク３０から入力される音声信号のうち、コンデンサ充電音に該当する周波数領域の信号が減衰される。
【００４０】
このように、本実施形態では、連続撮影時に記録音声が細切れになることを未然に防止し、使い勝手に優れている撮像装置を提供することが可能になる。
【００４１】
また、連続撮影時に２回目の撮影からは、ＡＦ動作が禁止されるので、ＡＦ動作音が音声記録を妨げて記録品位を低下させることを未然に防止することができる。
【００４２】
なお、本実施形態では、連続撮影時にＡＦ動作を禁止する例を示したが、これとともに、ズーム動作を禁止するようにすることも可能である。この場合、ズームボタン３７の入力を無視することにより、ズーム動作を禁止することができる。これにより、ズーム動作音が音声記録の妨げになることを未然に防止することができる。
【００４３】
なお、本発明の目的は、前述した各実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００４４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００４５】
以下、本発明の実施態様の例を列挙する。
【００４６】
［実施態様１］  撮影画像に対応する音声を記録することが可能な撮像装置であって、第１の撮像動作からそれに続く第２の撮像動作までの撮像間隔に応じて、前記音声の記録を制御する制御手段を有することを特徴とする撮像装置。
【００４７】
［実施態様２］  前記制御手段は、前記撮像間隔が所定時間より短い場合、前記第１の撮像動作から第２の撮像動作までに入力される音声を継続して記録することを特徴とする実施態様１記載の撮像装置。
【００４８】
［実施態様３］  さらに、自動的に焦点を調節する焦点調節手段を有し、
前記制御手段は、前記撮像間隔が所定時間より短い場合、前記焦点調節手段の状態を前記第１の撮影動作のときの状態に固定することを特徴とする実施態様１記載の撮像装置。
【００４９】
［実施態様４］  さらに、撮影倍率を変更する倍率変更手段および倍率変更を指示する倍率変更指示手段を有し、
前記制御手段は、前期撮像間隔が所定時間より短い場合、前記倍率変更指示手段の指示入力を無効とすることを特徴とする実施態様１記載の撮像装置。
【００５０】
［実施態様５］  さらに、被写体に対して発光する発光手段を有し、
前記発光手段の発光準備中は、前記音声入力手段から入力される音声信号のうち、前記発光手段が発光準備中に発生する動作音に相当する周波数領域の音声信号を減衰させて記録することを特徴とする実施態様１記載の撮像装置。
【００５１】
［実施態様６］  撮影画像とそれに対応する音声を記録することが可能な撮像装置の撮像方法であって、第１の撮像動作からそれに続く第２の撮像動作までの撮像間隔に応じて、前記音声の記録を制御する制御工程を有することを特徴とする撮像方法。
【００５２】
［実施態様７］  前記制御工程では、前記撮像間隔が所定時間より短い場合、前記第１の撮像動作から第２の撮像動作までに入力される音声を継続して記録することを特徴とする実施態様６記載の撮像方法。
【００５３】
［実施態様８］  前記撮像装置は、自動的に焦点を調節する焦点調節手段を有し、
前記制御工程では、前記撮像間隔が所定時間より短い場合、前記焦点調節の状態を前記第１の撮影動作のときの状態に固定することを特徴とする実施態様６記載の撮像方法。
【００５４】
［実施態様９］  前記撮像装置は、撮影倍率を変更する倍率変更手段および倍率変更を指示する倍率変更指示手段を有し、
前記制御工程では、前期撮像間隔が所定時間より短い場合、前記倍率変更指示手段の指示入力を無効とすることを特徴とする実施態様６記載の撮像方法。
【００５５】
［実施態様１０］  前記撮像装置は、被写体に対して発光する発光手段を有し、
前記発光手段の発光準備中は、前記音声入力手段から入力される音声信号のうち、前記発光手段が発光準備中に発生する動作音に相当する周波数領域の音声信号を減衰させて記録することを特徴とする実施態様６記載の撮像方法。
【００５６】
［実施態様１１］  撮影画像に対応する音声を記録することが可能な撮像装置で実行されるプログラムであって、第１の撮像動作からそれに続く第２の撮像動作までの撮像間隔に応じて、前記音声の記録を制御することを特徴とするプログラム。
【００５７】
［実施態様１２］  実施態様１１記載のプログラムをコンピュータ読み取り可能に格納したことを特徴とする記憶媒体。
【００５８】
【発明の効果】
以上説明したように、本発明によれば、第１の撮像動作からそれに続く第２の撮像動作までの撮像間隔に応じて、音声の記録を制御するので、連続撮影時に記録音声が細切れになることを未然に防止し、優れた使い勝手を得ることができる。
【図面の簡単な説明】
【図１】本発明の一実施形態に係る撮像装置の構成を示すブロック図である。
【図２】図１の撮像装置の撮影動作を示すフローチャートである。
【図３】図１の撮像装置の撮影動作を示すフローチャートである。
【図４】単撮影を２回繰り返す場合の動作タイミングを示すチャートである。
【図５】２枚連続撮影の場合の動作タイミングを示すチャートである。
【符号の説明】
１０  ズームレンズ
１１  フォーカスレンズ
３０  マイク
３８  ストロボ閃光装置
５０  システム制御回路
【図１】
2004207907.tif 000003
【図２】
2004207907.tif 000004
【図３】
2004207907.tif 000005
【図４】
2004207907.tif 000006
【図５】
2004207907.tif 000007